(57)【要約】【課題】側面から天面へかけて大きく開口させた状態で積み上げても、積ずれを抑制することができ、梱包時や陳列時の作業負荷も軽減できる陳列箱を提供する。【解決手段】周壁を形成するように側面板１，２が連設され、対向する側面板１の下端に底壁が連設され、商品陳列時には、側面板１に両側部及び下部を残して開口した側面窓１２を形成すると共に、側面窓１２から天面を開口させる陳列箱において、底壁に一対の側面板１との境界から切目線１５が入れられて、側面窓１２の上部よりも両側へ張り出すように幅が広い切起片１６が形成されたものとする。積上陳列時には、上段側の陳列箱の底壁に入れられた切目線１５を切断して、底壁から切起片１６を下方へ引き起こし、対向する切起片１６により下段側の陳列箱を挟んで積ずれを抑制する。【選択図】図８
0003206139.tif 000002
【実用新案登録請求の範囲】
【請求項１】
周壁を形成するように側面板(1,2)が連設され、対向する側面板(1)の下端に底壁が連設され、商品陳列時には、側面板(1)に両側部及び下部を残して開口した側面窓(12)を形成すると共に、側面窓(12)から天面を開口させる陳列箱において、
底壁に一対の側面板(1)との境界から切目線(15)が入れられて、側面窓(12)の上部よりも両側へ張り出すように幅が広い切起片(16)が形成されており、
積上陳列時には、上段側の陳列箱の底壁に入れられた切目線(15)を切断して、底壁から切起片(16)を下方へ引き起こし、対向する切起片(16)により下段側の陳列箱を挟んで積ずれを抑制することを特徴とする陳列箱。
【請求項２】
前記側面板(1,2)とその上端から延出された蓋フラップ(6,7)の境界に、内側への折曲用及び切取用のミシン目から成る破断線(8)が入れられていることを特徴とする請求項１に記載の陳列箱。
【請求項３】
前記蓋フラップ(6,7)の基部には、側面板(1,2)との境界の破断線(8)に近接して並行するように、破断線(8)よりも外側への折曲抵抗を弱めた押罫線から成る逆罫線(9)が入れられていることを特徴とする請求項２に記載の陳列箱。
【考案の詳細な説明】
【技術分野】
【０００１】
この考案は、複数個積み上げた状態で商品を陳列できる陳列箱に関するものである。
【背景技術】
【０００２】
スーパーマーケット等の店頭では、複数個の箱を積み上げた段積み状態で商品を陳列する形態が採用されることが多く、そのような陳列に対応する段ボール箱として、下記特許文献１には、図１０に示すようなものが記載されている。
【０００３】
この陳列箱は、前方へ向けられる側面板５１、側方へ向けられる一対の側面板５２及び後方へ向けられる側面板５３が継代片５４を介し連設されて周壁が形成され、その下端から延びる各一対の底フラップ５５と底フラップ５６とが重なり合って底壁が形成され、商品を陳列する際には、側面板５１を切り開くことにより、前面に両側部及び下部を残して側面窓５７を形成し、側面窓５７から天面へかけて開口した状態とするものである。
【０００４】
このような陳列箱では、段積み状態で商品を陳列すると、最上段の陳列箱においては、側面窓５７及び天面の開口から商品が露出し、下段側の陳列箱においては、天面の開口は上段側の陳列箱で塞がれるものの、側面窓５７から商品が露出するので、高い訴求力が得られ、販売促進効果が期待できる。
【先行技術文献】
【特許文献】
【０００５】
【特許文献１】特開２００４−２６２３８号公報
【考案の概要】
【考案が解決しようとする課題】
【０００６】
しかしながら、上記のような陳列箱では、段積み状態において、下段側と上段側の陳列箱がずれやすく、このような積ずれが生じると、上段側の陳列箱が下段側の陳列箱の内部へ落ち込んで、段積み状態が崩れてしまう恐れがある。
【０００７】
このような事態を未然に防止するにするには、閉じられた包装状態の段ボール箱を積み上げて、最上段となる段ボール箱だけ側面から天面へかけて切り開くことにより、開口した状態とする陳列形態にせざるを得ず、その場合、商品の露出度が低くなり、訴求力が低下して、販売機会を喪失することもある。
【０００８】
また、天面を閉止する蓋フラップが商品の挿入時に商品と干渉することがあるほか、陳列状態で最上段の段ボール箱の商品が全て売れると、その度に最上段の段ボール箱を撤去して、新たに最上段となる段ボール箱を側面から天面へかけて切り開かなければならず、陳列状態の維持管理に手間がかかるという問題もある。
【０００９】
そこで、この考案は、側面から天面へかけて大きく開口させた状態で積み上げても、積ずれを抑制することができ、梱包時や陳列時の作業負荷も軽減できる陳列箱を提供しようとするものである。
【課題を解決するための手段】
【００１０】
上記課題を解決するため、この考案は、周壁を形成するように側面板が連設され、対向する側面板の下端に底壁が連設され、商品陳列時には、側面板に両側部及び下部を残して開口した側面窓を形成すると共に、側面窓から天面を開口させる陳列箱において、
底壁に一対の側面板との境界から切目線が入れられて、側面窓の上部よりも両側へ張り出すように幅が広い切起片が形成されており、
積上陳列時には、上段側の陳列箱の底壁に入れられた切目線を切断して、底壁から切起片を下方へ引き起こし、対向する切起片により下段側の陳列箱を挟んで積ずれを抑制するものとしたのである。
【００１１】
また、前記側面板とその上端から延出された蓋フラップの境界に、内側への折曲用及び切取用のミシン目から成る破断線が入れられているものとしたのである。
【００１２】
さらに、前記蓋フラップの基部には、側面板との境界の破断線に近接して並行するように、破断線よりも外側への折曲抵抗を弱めた押罫線から成る逆罫線が入れられているものとしたのである。
【考案の効果】
【００１３】
この考案に係る陳列箱では、側面板に側面窓を形成し、側面から天面へかけて大きく開口させた状態で積み上げても、上段側の陳列箱の底壁から下方へ引き起こした対向する切起片で下段側の陳列箱を挟むと、切起片が反発により、下段側の陳列箱の側面窓の両側に臨む部分で側面板の上部に当接して、下段側の陳列箱に対する上段側の陳列箱の積ずれが抑制されるので、段積み状態の崩れを防止することができる。
【００１４】
そして、この段積み状態において、最上段の陳列箱の側面窓と天面の開口部から商品が露出すると共に、下段側の陳列箱の側面窓からも商品が露出し、切起片を広告スペースとしても利用できるので、高い訴求力が得られ、販売促進効果が期待できる。
【００１５】
また、側面板と蓋フラップの境界に、内側への折曲用及び切取用のミシン目から成る破断線を入れたので、蓋フラップを閉じて容易に封緘でき、簡単な切取作業で側面から天面へかけて大きく開口させた陳列状態とすることができる。
【００１６】
さらに、蓋フラップの基部に、側面板との境界の破断線に近接して並行するように、破断線よりも外側への折曲抵抗を弱めた押罫線の逆罫線を入れたので、梱包作業に際し、側面板と蓋フラップの稜線での割れを防止しつつ、蓋フラップを逆罫線に沿って外側へ折り曲げることができ、箱内に商品を容易に挿入することができる。
【図面の簡単な説明】
【００１７】
【図１】この考案の実施形態に係る段ボール製陳列箱のブランクを示す図
【図２】同上の組立時における蓋フラップの折曲前の状態を示す斜視図
【図３】同上の商品挿入時における蓋フラップの外側への折曲状態を示す斜視図
【図４】同上の包装状態を上方から示す斜視図
【図５】同上の包装状態を下方から示す斜視図
【図６】同上の上下反転して切起片を起こした状態を示す斜視図
【図７】同上の側面及び天面の開放過程を示す斜視図
【図８】同上の段積み状態を示す斜視図
【図９】同上の段積み状態を示す側面図
【図１０】特許文献１記載の陳列箱を示す斜視図
【考案を実施するための形態】
【００１８】
以下、この考案の実施形態を添付図面に基づいて説明する。
【００１９】
図１は、この考案に係る段ボール製陳列箱のブランクを示す。このブランクでは、一対の長さ方向の側面板１と、一対の幅方向の側面板２とが横方向に交互に連設され、一方の側面板１の外側端に継代片３が連設されている。各一対の側面板１，２の下端には底フラップ４，５がそれぞれ連設され、各一対の側面板１，２の上端には蓋フラップ６，７がそれぞれ連設されている。
【００２０】
各一対の側面板１，２と蓋フラップ６，７の境界には、破断線８が入れられている。破断線８は、段ボールが押圧された押罫線ではなく、段ボールの両面に貫通する切目が多数断続したミシン目から成るものとされている。
【００２１】
蓋フラップ６，７の基部には、側面板１，２との境界の破断線８に近接して並行するように、段ボールの表面側を凹ませた逆罫線９が入れられている。
【００２２】
一対の側面板１には、横方向に延びる切目線１０ａと、その両端から上方へ延びて破断線８へ向かう切目線１０ｂが入れられている。切目線１０ａは、各切目に誘導部のない通常のミシン目とされ、切目線１０ｂは、Ｓ字状の切目が断続するものとされている。
【００２３】
側面板１の切目線１０ａ，１０ｂ及び破断線８で囲まれた部分は、側窓部１１とされ、陳列時には、側窓部１１の切り取りに伴い、側面窓１２が形成される。側窓部１１の下端中央部には、切目線１０ａに臨む切込により、手掛部１０ｃが形成されている。
【００２４】
一対の側面板２の上部には、破断線８の中間部に臨む切込により、手掛部１３ａが形成され、手掛部１３ａの下縁に臨む切込により、押込部１３ｂが形成されている。
【００２５】
一対の蓋フラップ７には、包装状態で一対の蓋フラップ６の先端同士の突合部に対応する位置に、帯状の弱め部１４が設けられている。弱め部１４では、段ボールを裏面側から押圧する段潰加工により、段ボールの山折方向への折曲強度を低下させている。
【００２６】
一対の底フラップ４には、側面板１との境界から切目線１５が入れられ、側窓部１１の上部よりも両側へ張り出すように、幅が広い切起片１６が形成されている。また、切起片１６の先端中央部に臨む切込により、押込部４ａが形成されている。
【００２７】
切起片１６には、底フラップ４から起こす際、撓みを許容して切目線１５を容易に切断できるようにするため、段ボールの裏面側からの押圧により、切起片１６の先端側へ向かって間隔が狭くなるように傾斜した２本の折目線１６ａが入れられている。
【００２８】
なお、側面板１と蓋フラップ６の境界における側窓部１１の上縁をなす部分では、ミシン目の破断線８に替えて、通常の押罫線を入れてもよいが、この実施形態では、コルゲートマシンによる加工の都合上、ミシン目から成る破断線８が側面板１と蓋フラップ６の境界の全長に亘って入れられている。
【００２９】
上記のようなブランクは、側面板１，２の境界に沿って折り重ね、継代片３を反対側の側面板２に貼り付けることにより、偏平な折畳状態としておく。
【００３０】
そして、商品の包装に際して、図２に示すように、各一対の側面板１，２が四角筒状の周壁を形成するように立体化し、各一対の底フラップ５，４を順次内側へ折り重ね、底フラップ４の先端同士を突き合わせてテープＴ等で固定し、底面を閉じて底壁が形成された状態とする。
【００３１】
次に、図３に示すように、挿入しようとする商品Ｇと、直立した蓋フラップ６，７の先端との干渉を避けるため、各一対の蓋フラップ６，７を外側へ折り曲げた状態で、箱内に商品Ｇを挿入する。
【００３２】
このとき、蓋フラップ６，７は、押し潰された側へ折れ曲がりやすいという段ボールの特性に従い、表面側が押し潰された逆罫線９に沿って外側へ折れ曲がるので、破断線８の繋ぎ部が破断してしまうことがない。
【００３３】
その後、図４に示すように、各一対の蓋フラップ７，６を順次内側へ折り重ね、蓋フラップ６の先端同士を突き合わせてテープＴ等で固定し、天面を閉じて天壁を形成すると、封緘された包装状態となり、商品Ｇを発送元から小売店へ送ることができる。
【００３４】
このとき、蓋フラップ６，７は、ミシン目から成る破断線８の切目が段ボールの表裏に貫通すると共に、逆罫線９を入れる際にコルゲートマシンの罫線リングにより破断線８の部分が押圧されて、その部分の内側への折曲抵抗が弱められていることから、破断線８に沿って容易に折れ曲がる。
【００３５】
なお、破断線８の切目を、逆罫線９を入れた後に切り込んで形成すると、破断線８の繋ぎ部分には、逆罫線９を入れる際に押圧加工の負荷が作用しないので、蓋フラップ６，７を破断線８に沿って内側へ折り曲げる際、段ボールの表ライナ側の繋ぎ部分が引張力に耐えられずに割れてしまうミシン割れ現象が生じにくい。
【００３６】
次に、小売店の店頭での商品陳列に際し、上記のように封緘した陳列箱を段積み状態とする際には、図５に示すように、底面が各一対の底フラップ４，５により閉じられた状態で、図６に示すように、上段側となる陳列箱を上下反転させて、底フラップの押込部４ａを押し込み、その抜出穴に指先を入れて、切起片１６の先端部に手を掛け、切目線１５を切断しつつ、切起片１６を引き起こす。
【００３７】
このとき、切起片１６は、折目線１６ａに沿って折れ曲がるように撓むので、切目線１５を容易に切断して、切起片１６を引き起こすことができる。
【００３８】
そして、図７に示すように、陳列箱を通常の向きに上下正転させて、手掛部１０ｃを押し込み、側窓部１１の下部を外側上方へ引っ張るようにして、切目線１０ａ，１０ｂを切断しつつ、側窓部１１を側面板１から切り取る。
【００３９】
続いて、側面板２の押込部１３ｂを押し込み、手掛部１３ａに手を掛け、破断線８を切断しつつ、蓋フラップ６，７を引き上げて、蓋フラップ６，７と一体として、側窓部１１及び手掛部１３ａを除去し、側面から天面へかけて開口させる。最下段となる陳列箱についても、上記と同様の手順により、側面から天面へかけて開口させる。
【００４０】
このとき、上記陳列箱では、外側の蓋フラップ６に阻害されることなく、内側の蓋フラップ７が弱め部１４に沿って山折りとなるように撓むので、幅方向及び長さ方向の破断線８を容易に切断することができる。
【００４１】
その後、図８及び図９に示すように、陳列箱を向きが揃うように積み重ね、上段側の陳列箱の対をなす切起片１６により下段側の陳列箱を挟むと、切起片１６が反発により、下段側の陳列箱の側面窓１２の両側に臨む部分で側面板１の上部に当接して、下段側の陳列箱に対する上段側の陳列箱の幅方向への積ずれが抑制される。
【００４２】
そして、この段積み状態において、最上段の陳列箱の開口した側面窓１２及び天面から商品Ｇが露出すると共に、下段側の陳列箱の側面窓１２からも商品Ｇが露出し、側面窓１２の上部に臨む切起片１６を、商品Ｇのキャッチコピー等を表示した広告スペースとしても利用できるので、高い訴求力が得られ、販売促進効果が期待できる。
【００４３】
なお、上記実施形態では、長さ方向の両面に側面窓１２を形成するものを例示したが、一方の側面板１にのみ側面窓１２を形成する陳列箱においても、対をなす底フラップ４に切目線１５を入れて切起片１６を形成しておくと、段積み状態での幅方向への積ずれを抑制することができる。
【００４４】
また、側面板１，２の稜部が直角をなす直方体の陳列箱を例示したが、側面板１，２の間に傾斜した面取部が介在するものにおいても、同様の構成を適用できる。
【００４５】
また、包装状態で天面が蓋フラップ６，７により全面的に閉じられる陳列箱を例示したが、蓋フラップ６，７が短く、包装状態で天面に開口部が残存するショートフラップ形式の陳列箱や、蓋フラップ６，７が存在せず、包装状態で天面が全面的に開放されたままとなる陳列箱においても、同様の構成を適用できる。
【００４６】
そのほか、いわゆるＡ式（JIS Z 1507の02形式）と呼ばれる溝切形の段ボール箱を例示したが、ラップラウンド式の段ボール箱についても、同様の構成を適用できる。
【符号の説明】
【００４７】
１，２  側面板
３  継代片
４，５  底フラップ
４ａ  押込部
６，７  蓋フラップ
８  破断線
９  逆罫線
１０ａ，１０ｂ  切目線
１０ｃ  手掛部
１１  側窓部
１２  側面窓
１３ａ  手掛部
１３ｂ  押込部
１４  弱め部
１５  切目線
１６  切起片
１６ａ  折目線
Ｇ  商品
Ｔ  テープ
【図１】
0003206139.tif 000003
【図２】
0003206139.tif 000004
【図３】
0003206139.tif 000005
【図４】
0003206139.tif 000006
【図５】
0003206139.tif 000007
【図６】
0003206139.tif 000008
【図７】
0003206139.tif 000009
【図８】
0003206139.tif 000010
【図９】
0003206139.tif 000011
【図１０】
0003206139.tif 000012